【手続補正書】
【提出日】平成29年8月28日(2017.8.28)
【手続補正１】
【補正対象書類名】特許請求の範囲
【補正対象項目名】全文
【補正方法】変更
【補正の内容】
【特許請求の範囲】
【請求項１】
ジェスチャを認識するための方法であって、
コンピュータシステムによって、ジェスチャ分析エンジンに利用可能な複数のジェスチャ分類コンテキストからジェスチャ分類コンテキストを適用させるユーザ入力を受信するステップと、
前記コンピュータシステムによって、前記ジェスチャ分析エンジンに前記ジェスチャ分類コンテキストを適用するステップと、
前記ジェスチャ分類コンテキストを適用した後、前記コンピュータシステムによって、ユーザによって実行された前記ジェスチャを示すデータを受信するステップと、
前記コンピュータシステムによって、前記ジェスチャ分析エンジンを使用して、前記適用されたジェスチャ分類コンテキストに従って前記ジェスチャを識別するステップと
を含む、ジェスチャを認識するための方法。
【請求項２】
前記方法が、さらに、
前記ユーザ入力を受信する前に、前記コンピュータシステムによって、利用可能なジェスチャのセットから選択されたジェスチャの第1のサブセットのみの間で識別するための測定基準の第1のセットを計算するステップを含み、
前記ジェスチャ分類コンテキストがアクティブであるとき、前記ジェスチャの第1のサブセットのみが、識別される資格がある、請求項1に記載のジェスチャを認識するための方法。
【請求項３】
前記方法が、さらに、
前記利用可能なジェスチャのセットからのジェスチャの第2のサブセットの表示を受信するステップであって、前記ジェスチャの第2のサブセットの各ジェスチャが、第2のジェスチャ分類コンテキストで有効である、ステップと、
前記コンピュータシステムによって、前記ジェスチャの第2のサブセットのみの間で識別するための前記ジェスチャの第2のサブセットのための測定基準の第2のセットを計算するステップであって、
前記第2のジェスチャ分類コンテキストがアクティブであるとき、前記ジェスチャの第2のサブセットのみが、識別される資格があり、
前記ジェスチャの第2のサブセットおよび前記ジェスチャの第1のサブセットが、少なくとも1つの異なるジェスチャを含む、ステップと、
前記測定基準の第2のセットを計算した後、前記コンピュータシステムによって、前記第2のジェスチャ分類コンテキストを前記ジェスチャ分析エンジンに適用させるユーザ入力を受信するステップと、
前記第2のジェスチャ分類コンテキストを適用した後、前記コンピュータシステムによって、前記ユーザによって実行された第2のジェスチャを示すデータを受信するステップと、
前記コンピュータシステムによって、前記適用された第2のジェスチャ分類コンテキストに従って、前記第2のジェスチャを解釈するステップと
を含む、請求項2に記載のジェスチャを認識するための方法。
【請求項４】
前記ジェスチャ分類コンテキストを適用させる前記ユーザ入力を受信するステップが、
前記コンピュータシステムによって、ユーザインターフェース内のアプリケーションを選択するユーザ入力を受信するステップを含む、請求項1に記載のジェスチャを認識するための方法。
【請求項５】
前記ジェスチャ分類コンテキストを適用させる前記ユーザ入力を受信するステップが、さらに、
前記コンピュータシステムによって、前記ユーザインターフェースによって提示されたアイコンの上にカーソルを移動させるユーザ入力を受信するステップを含む、請求項4に記載のジェスチャを認識するための方法。
【請求項６】
前記ジェスチャの第1のサブセットのみの間で識別するための前記測定基準の第1のセットを計算するステップが、
前記コンピュータシステムによって、前記ジェスチャの第1のサブセットの各ジェスチャのための測定基準を計算するステップを含み、前記ジェスチャの第1のサブセットの各ジェスチャのための前記測定基準が、ジェスチャトレーニングデータおよび前記ジェスチャの第1のサブセットの他のジェスチャに少なくとも部分的に基づく、請求項2に記載のジェスチャを認識するための方法。
【請求項７】
前記利用可能なジェスチャのセットからの前記ジェスチャの第2のサブセットの前記表示を受信するステップ、および、前記ジェスチャの第2のサブセットのみの間で識別するための前記ジェスチャの第2のサブセットのための前記測定基準の第2のセットを計算するステップが、前記コンピュータシステムにインストールされているアプリケーションに応答して発生する、請求項3に記載のジェスチャを認識するための方法。
【請求項８】
前記利用可能なジェスチャのセットからの前記ジェスチャの第2のサブセットの前記表示を受信するステップ、および、前記ジェスチャの第2のサブセットのみの間で識別するための前記ジェスチャの第2のサブセットのための前記測定基準の第2のセットを計算するステップが、ジェスチャサブセットデータベースの作成中に発生し、前記ジェスチャサブセットデータベースが、前記利用可能なジェスチャのセットの複数のサブセットのためのジェスチャ分類コンテキストを含む、請求項3に記載のジェスチャを認識するための方法。
【請求項９】
請求項1乃至8の何れか1項に記載の方法を実施するための非一時的プロセッサ可読記憶媒体。
【請求項１０】
ジェスチャを認識するための装置であって、前記装置が、
ジェスチャ分析のための手段に利用可能な複数のジェスチャ分類コンテキストからジェスチャ分類コンテキストを適用させるユーザ入力を受信するための手段と、
前記ジェスチャ分析のための手段に前記ジェスチャ分類コンテキストを適用するための手段と、
前記ジェスチャ分類コンテキストを適用した後に、ユーザによって実行された前記ジェスチャを示すデータを受信するための手段と、
前記ジェスチャ分析のための手段を使用して、前記適用されたジェスチャ分類コンテキストに従って、前記ジェスチャを識別するための手段と
を備える、ジェスチャを認識するための装置。
【請求項１１】
前記装置が、さらに、
前記ユーザ入力を受信する前に、利用可能なジェスチャのセットから選択されたジェスチャの第1のサブセットのみの間で識別するための測定基準の第1のセットを計算するための手段を備え、
前記ジェスチャ分類コンテキストがアクティブであるとき、前記ジェスチャの第1のサブセットのみが、識別される資格がある、請求項10に記載のジェスチャを認識するための装置。
【請求項１２】
前記装置が、さらに、
前記利用可能なジェスチャのセットからのジェスチャの第2のサブセットの表示を受信するための手段であって、前記ジェスチャの第2のサブセットの各ジェスチャが、第2のジェスチャ分類コンテキストで有効である、手段と、
前記ジェスチャの第2のサブセットのみの間で識別するための前記ジェスチャの第2のサブセットのための測定基準の第2のセットを計算するための手段であって、
前記第2のジェスチャ分類コンテキストがアクティブであるとき、前記ジェスチャの第2のサブセットのみが、識別される資格があり、
前記ジェスチャの第2のサブセットおよび前記ジェスチャの第1のサブセットが、少なくとも1つの異なるジェスチャを含む、手段と、
前記測定基準の第2のセットを計算した後、ジェスチャ解析のための手段に前記第2のジェスチャ分類コンテキストを適用させるユーザ入力を受信するための手段と、
前記第2のジェスチャ分類コンテキストを適用した後、前記ユーザによって実行された第2のジェスチャを示すデータを受信するための手段と、
前記適用された第2のジェスチャ分類コンテキストに従って、前記第2のジェスチャを解釈するための手段と
を備える、請求項11に記載のジェスチャを認識するための装置。
【請求項１３】
前記ジェスチャ分類コンテキストを適用させる前記ユーザ入力を受信するための前記手段が、
ユーザインターフェース内のアプリケーションを選択するユーザ入力を受信するための手段を備える、請求項10に記載のジェスチャを認識するための装置。
【請求項１４】
前記ジェスチャ分類コンテキストを適用させる前記ユーザ入力を受信するための前記手段が、さらに、
前記ユーザインターフェースによって提示されたアイコンの上にカーソルを移動させるユーザ入力を受信するための手段を備える、請求項13に記載のジェスチャを認識するための装置。
【請求項１５】
前記ジェスチャの第1のサブセットのみの間で識別するための前記測定基準の第1のセットを計算するための前記手段が、
前記ジェスチャの第1のサブセットの各ジェスチャのための測定基準を計算するための手段を備え、前記ジェスチャの第1のサブセットの各ジェスチャのための前記測定基準が、ジェスチャトレーニングデータおよび前記ジェスチャの第1のサブセットの他のジェスチャに少なくとも部分的に基づく、請求項11に記載のジェスチャを認識するための装置。